(57)【要約】【課題】パッチ保持体の着脱作業を容易且つ迅速に行うことのできるパッチ貼着器を提供すること。【解決手段】シートＳのパンチング穴に対応する穴Ｐ１を備えたパッチＰを積層状態で保持するとともに、パッチＰを一枚ずつパンチング穴の周囲に貼り付け可能に設けたパッチ貼着器１０であって、パッチ貼着部１１を備えたベース１２上にガイド部材１４が設けられ、当該ガイド部材１４に操作部材１５が昇降可能に支持されている。操作部材１５には、パッチ保持体１６が装着されており、当該パッチ保持体１６は、パッチＰを貫通する軸部材１００と、回転操作体１０２と、一対の挟持部材１０３とを含む。回転操作体１０２を回転操作することで、挟持部材１０３の相対間隔が拡大して軸部材１００を回転操作体１０２から抜き出し可能となっている。【選択図】図２
2010094940.tif 000002
【特許請求の範囲】
【請求項１】
被着体のパンチング穴に対応する穴を備えたパッチを積層状態で保持するとともに、前記パッチを一枚ずつパンチング穴の周囲に貼り付け可能に設けたパッチ貼着器において、
前部にパッチ貼着部を備えたベースと、前記パッチ貼着部に対して相対的に進退可能に設けられて前記パッチに貼着力を付与する操作部材と、この操作部材に支持されるとともに、前記積層状のパッチを、その接着層がパッチ貼着部側に向くように設けられたパッチ保持体とを備え、
前記パッチ保持体は、前記パッチの穴を貫通する軸部材と、当該軸部材の外周側に組み合わされるとともに前記操作部材に支持される着脱操作手段とを含み、
前記着脱操作手段を所定操作することで、前記軸部材が操作部材から抜き出し可能に設けられていることを特徴とするパッチ貼着器
【請求項２】
被着体のパンチング穴に対応する穴を備えたパッチを積層状態で保持するとともに、前記パッチを一枚ずつパンチング穴の周囲に貼り付け可能に設けたパッチ貼着器において、
前部にパッチ貼着部を備えたベースと、当該パッチ貼着部よりも後方位置で前記ベースから起立するガイド部材と、このガイド部材に沿って昇降可能に設けられるとともの押し下げ操作することで前記パッチに貼着力を付与する操作部材と、前記パッチ貼着部の上方相対位置で前記操作部材の前方下部に支持されるとともに、前記積層状のパッチを、その接着層がパッチ貼着部側に向くように設けられたパッチ保持体とを備え、
前記パッチ保持体は、前記パッチの穴を貫通する軸部材と、前記操作部材に回転可能に支持された状態で前記軸部材が貫通可能に設けられてパッチ最後部側に位置する回転操作体と、この回転操作体に連なるとともに軸部材の上端側を挟み込んで当該軸部材を保持する挟持部材とを含み、
前記回転操作体を回転させたときに、前記挟持部材の相対間隔が拡大して前記回転操作体から軸部材が抜き出し可能に設けられていることを特徴とするパッチ貼着器
【請求項３】
前記ガイド部材は、前後方向に移動可能な状態で下部後端側がベースに回転可能に支持されている一方、下部前端側がベースに係り合い可能に設けられ、前記ガイド部材を後方に移動させることで下部前端側とベースとの係り合いが解除されて前記操作部材の前方下部とパッチ貼着部との相互間隔が拡大可能に設けられていることを特徴とする請求項２記載のパッチ貼着器。
【請求項４】
前記挟持部材は、前記回転操作体から上方に延びて先端間が相対的に狭くなる爪部を含み、前記軸部材の上端側は、前記爪部に引っ掛け可能な凸部を外周に備えていることを特徴とする請求項２又は３記載のパッチ貼着器。
【請求項５】
前記操作部材の内面側に、前記挟持部材の位置を所定位置に保つリブが設けられ、前記回転操作体を回転させたときに、前記リブが回転操作体と挟持部材との間に捻れ変形を生じさせて挟持部材の相対間隔を拡大させることを特徴とする請求項２、３又は４記載のパッチ貼着器。
【発明の詳細な説明】
【技術分野】
【０００１】
本発明はパッチ貼着器に係り、更に詳しくは、書類等シート状の被着体に形成されたパンチング穴を補強するパッチ貼着器に関する。
【背景技術】
【０００２】
一般に、多数枚の書類を綴じ込む場合には、所定のパンチを用いて書類の端縁に沿う二箇所にパンチング穴が形成され、これらのパンチング穴に綴じ具を挿通させる方法が採用されている。このパンチング穴は、頻繁なる書類の捲り操作等によって破断する場合が多々生ずるため、これを防止する補強として、パンチング穴を囲むようにパッチを貼り付けることのできるパッチ貼着器が市販されている。
【０００３】
特許文献１には、積層状態に設けられたパッチを所定位置にセットし、ステープラーと同様の操作感でパッチを一枚ずつパンチング穴の回りに貼着できるようにしたパッチ貼着器が開示されている。
【特許文献１】ＷＯ２００８／０９６７２５  Ａ１
【発明の開示】
【発明が解決しようとする課題】
【０００４】
特許文献１におけるパッチ貼着器は、積層状態のパッチを貫通して当該パッチを保持するパッチ保持体を含み、当該パッチ保持体は、操作部材の自由端側に着脱自在に設けられる構成となっている。このパッチ貼着器は、パッチ保持体に保持されたパッチを使い切った後に、パッチ保持体を操作部材から抜き出して新たなパッチ積層体が補充可能となっている。
しかしながら、前記パッチ保持体は、その先端側を摘んで操作部材の自由端側に装着する構成となっている。従って、補充用のパッチ積層体にパッチ保持体の軸部材を貫通させて操作部材に装着するときに、軸部材の先端部が最先のパッチから僅かに突出する状態となるため、当該突出した部分を摘んでパッチ保持体を操作部材に装着する際の作業性が悪い、という難点がある。
また、パッチ保持体を操作部材から抜き出す作業は、操作部材の先端側とパッチ貼着部との間の限られた空間内で行うものであるため、パッチ保持体の着脱作業空間が限定的となり、当該作業空間を広く確保して行うことができない、という問題もある。
【０００５】
［発明の目的］
本発明は、このような不都合に着目して案出されてものであり、その目的は、パッチ保持体の着脱作業を容易且つ迅速に行うことのできるパッチ貼着器を提供することにある。
【課題を解決するための手段】
【０００６】
前記目的を達成するため、本発明は、被着体のパンチング穴に対応する穴を備えたパッチを積層状態で保持するとともに、前記パッチを一枚ずつパンチング穴の周囲に貼り付け可能に設けたパッチ貼着器において、
前部にパッチ貼着部を備えたベースと、前記パッチ貼着部に対して相対的に進退可能に設けられて前記パッチに貼着力を付与する操作部材と、この操作部材に支持されるとともに、前記積層状のパッチを、その接着層がパッチ貼着部側に向くように設けられたパッチ保持体とを備え、
前記パッチ保持体は、前記パッチの穴を貫通する軸部材と、当該軸部材の外周側に組み合わされるとともに前記操作部材に支持される着脱操作手段とを含み、
前記着脱操作手段を所定操作することで、前記軸部材が操作部材から抜き出し可能に設けられる、という構成を採っている。
【０００７】
また、本発明は、被着体のパンチング穴に対応する穴を備えたパッチを積層状態で保持するとともに、前記パッチを一枚ずつパンチング穴の周囲に貼り付け可能に設けたパッチ貼着器において、
前部にパッチ貼着部を備えたベースと、当該パッチ貼着部よりも後方位置で前記ベースから起立するガイド部材と、このガイド部材に沿って昇降可能に設けられるとともの押し下げ操作することで前記パッチに貼着力を付与する操作部材と、前記パッチ貼着部の上方相対位置で前記操作部材の前方下部に支持されるとともに、前記積層状のパッチを、その接着層がパッチ貼着部側に向くように設けられたパッチ保持体とを備え、
前記パッチ保持体は、前記パッチの穴を貫通する軸部材と、前記操作部材に回転可能に支持された状態で前記軸部材が貫通可能に設けられてパッチ最後部側に位置する回転操作体と、この回転操作体に連なるとともに軸部材の上端側を挟み込んで当該軸部材を保持する挟持部材とを含み、
前記回転操作体を回転させたときに、前記挟持部材の相対間隔が拡大して前記回転操作体から軸部材が抜き出し可能に設けられる、という構成を採ることができる。
【０００８】
本発明において、前記ガイド部材は、前後方向に移動可能な状態で下部後端側がベースに回転可能に支持されている一方、下部前端側がベースに係り合い可能に設けられ、前記ガイド部材を後方に移動させることで下部前端側とベース側との係り合いが解除されて前記操作部材の前方下部とパッチ貼着部との相互間隔が拡大可能に設けられる、という構成を採ることが好ましい。
【０００９】
また、前記挟持部材は、前記回転操作体から上方に延びて先端間が相対的に狭くなる爪部を含み、前記軸部材の上端側は、前記爪部に引っ掛け可能な凸部を外周に備える、という構成を採ることができる。
【００１０】
更に、前記操作部材の内面側に、前記挟持部材の位置を所定位置に保つリブが設けられ、前記回転操作体を回転させたときに、前記リブが回転操作体と挟持部材との間に捻れ変形を生じさせて挟持部材の相対間隔を拡大させる、という構成を採っている。
【発明の効果】
【００１１】
本発明によれば、パッチの穴を貫通する軸部材に着脱操作手段が組み合わされ、当該着脱操作手段を介して軸部材が操作部材に対して着脱自在に設けられているため、軸部材の先端側を摘むような必要がなく、着脱操作手段を所定操作するだけで軸部材を操作部材から抜き出すことができる。
【００１２】
特に、パッチ保持体が回転操作体と当該回転操作体に連なる挟持部材とを備えた構成とし、回転操作体を回転させることで挟持部材の相対間隔を拡大させて軸部材の抜き出しを可能とした構成では、回転操作体を回転させるだけの簡単な操作となる。
【００１３】
また、前記ガイド部材の下部後端側をベースに回転可能に支持し、下部前端側をベースに係り合い可能に設けた構成では、当該係り合いを解除したときに、ガイド部材が回転可能となり、これに支持されている操作部材の前部をパッチ貼着部から離れる方向に移動させることができる。従って、操作部材とパッチ貼着部との間隔を拡大した作業空間が形成でき、当該空間を利用して軸部材の着脱作業を容易に行うことができる。
【００１４】
更に、前記挟持部材が爪部を含み、前記軸部材の上端側が爪部に引っ掛け可能な凸部を備えた構成では、軸部材を操作部材に装着する際に、凸部が爪部を乗り越えたときに、クリック動作によって係り合った状態を容易に認識することができ、軸部材の装着ミスを未然に防止することができる。
【００１５】
また、操作部材の内面側に設けられたリブにより回転操作体と挟持部材との相対的な捻れ変形を生じさせる構成とした場合には、操作部材の内面側の形状を利用した構造により特別な部材を必要とすることがない。
【発明を実施するための最良の形態】
【００１６】
以下、本発明の好ましい実施形態を、図面を参照しながら詳細に説明する。なお、本明細書において、特に明記しない限り、「前」とは図１中左側を示し、「後」とは同図中右側を示すものとし、また、「幅」若しくは「左右」とは、図１中紙面直交方向に対して用いられる。
【００１７】
図１には、本実施形態に係るパッチ貼着器の概略正面図が示され、図２には、その縦断面図が示されている。これらの図において、パッチ貼着器１０は、被着体としてのシートＳのパンチング穴に対応する穴Ｐ１を備えたパッチＰを積層状態で保持し、前記パッチＰを一枚ずつパンチング穴の周囲に貼り付け可能に設けられている。このパッチ貼着器１０は、前部にパッチ貼着部１１を備えたベース１２と、パッチ貼着部１１よりも後方位置でベース１２から起立するガイド部材１４と、このガイド部材１４に沿って昇降可能に支持されて上下方向に進退可能に設けられた操作部材１５と、当該操作部材１５の前方下部に支持されるとともに、前記積層状のパッチＰを、その接着層がパッチ貼着部１１側に向くように保持するパッチ保持体１６とを備えて構成されている。
【００１８】
前記パッチ貼着部１１は、図１及び図２に示されるように、シートＳの受け面を形成する台座２０と、シートＳの差し込み位置を決定するとともに、浮き上がりを規制する押さえ部材２１とからなる。台座２０は、図３（Ａ）に示されるように、平面視略方形の板状に設けられている。この台座２０は、前記ベース１１に取り付けられた状態で、中央部が前後両端に対して上位となるように、緩やかな円弧状の軌跡に沿う曲面形状に設けられている。台座２０の中央部には、シートＳに形成されるパンチング穴に略対応した直径を有する穴２０Ａが形成されているとともに、台座２０の下面側における幅方向（図３（Ｂ）中左右方向）両側には、脚片２３がそれぞれ設けられている。これら脚片２３の外側端には、爪２３Ａが形成されており、当該爪２３Ａは、ベース１１に設けられた一対の凸部２４（図４参照）の相対面に形成された凹部２４Ａに「パチン」と嵌り込み可能とされ、これにより、台座２０がベース１１から不用意に外れてしまうことがないようになっている。また、台座２０の前後方向（図３（Ｃ）中上下方向）両側にはリブ片２５がそれぞれ形成されている。
【００１９】
前記ベース１２は、図４〜図７に示されるように、平面視略小判状を備えた底面部２７と、この底面部２７の外周に連なる周壁２６と、底面部２７の中央部から前方に向けて設けられたパンチ穴位置決め部材２８と、当該パンチ穴位置決め部材２８の幅方向両側に位置する前述した凸部２４と、底面部２７の左右両側（図４中上下両側）における中央部に設けられて前記押さえ部材２１を取り付ける一対の固定用穴２９と、当該固定用穴２９の前方位置で周壁２６の内面側に形成された一対の凹部３０と、前記ガイド部材１４の前後移動を案内する一対の凸片３２と、底面部２７の後部幅方向二箇所に設けられて前記ガイド部材１４の下部後端側を回転可能に支持する突軸３３を備えた一対の軸受片３４と、底面部２７の中央部よりやや前方の幅方向二箇所に設けられてガイド部材１４の下部前端側を係り合わせるフック部３６とを備えて構成されている。
【００２０】
前記パンチ穴位置決め部材２８は、図６に示されるように、前記底面部２７から起立する起立部２８Ａと、この起立部２８Ａの上端から斜め下方に向けられた領域を介して略水平方向前方に向けられたアーム片部２８Ｂと、当該アーム片部２８Ｂの先端から上向きに突設された穴受け凸部２８Ｃとからなり、アーム片部２８Ｂが片持ち姿勢となって穴受け凸部２８Ｃが上下に変位可能に設けられている。
【００２１】
前記フック部３６は、図４及び図７に示されるように、後方に開放する袋状をなし、当該フック部３６を利用してガイド部材１４の下部前端側の後述する係り合わせと、その解除が可能に設けられている。
【００２２】
前記ベース１２に取り付けられる押さえ部材２１は、図２、図８及び図９に示されるように、略鉛直面内で平行に配置された一対の支持板３８と、これら支持板３８の前方に略水平向きで連なる横行部３９とからなり、この横行部３９の下部前方が後方よりも高くなる傾斜曲面に設けられているとともに、当該傾斜曲面内にパッチＰを受け入れ可能な丸穴４０が形成されている。支持板３８の下部後端部には突起４１が形成されているとともに、下部外側面には爪状凸部４２が形成され、突起４１と爪状凸部４２がベース１２に形成された前記固定用穴２９と凹部３０に嵌合可能とされ、これにより、押さえ部材２１がベース１２に固定されるようになっている。
【００２３】
前記ガイド部材１４は、図２に示されるように、ベース１２に取り付けられて上下方向に延びるガイド本体４５と、当該ガイド本体４５に支持されて上下にスライド可能な中間ガイド４６とを含む。ガイド本体４５は、図１０〜図１３に示されるように、ベース１２の底面部２７に接地する底板４８と、当該底板４８の前部側から略鉛直上方に向けられた起立板４９と、底板４８の幅方向下部両側から後方において起立した一対の翼板部５０とを含む。
【００２４】
前記底板４８の前端部における幅方向両側には、前記ベース１２に設けられたフック部３６内に挿入されてこれに係り合う一対の突片部５１が設けられている一方、底板４８の後部側上面には、コイルばね５３の下部位置を規制する突条部５２（図１２参照）が前後方向に向けられた姿勢で設けられている。
【００２５】
前記起立板４９の前面側には、上下方向（図１３中紙面直交方向）に延びるレール溝４９Ａが幅方向両側に設けられており、これらレール溝４９Ａ間には、中央溝４９Ｂが設けられている。中央溝４９Ｂの上下両端には、段部５４（図１２参照）が形成されており、上方の段部５４によって前記中間ガイド４６のスライド限が決定されるようになっている。また、起立板４９の幅方向両側面には、突条のレール部５５が上下方向に沿って形成されている。
【００２６】
前記翼板部５０の後部下方には、前後方向に向けられたスロット穴５７が形成されており、当該スロット穴５７内に、前記突軸３３が前後方向移動可能且つ回転可能に受容される。
【００２７】
前記中間ガイド４６は、図１４〜１８に示されるように、前記起立板４９の前面側に位置する略長方形状の前面部６０と、この前面部６０の幅方向両側に連なる一対の側面部６１とからなり、横断面形状が略コ字状をなす形状に設けられている。前面部６０の後面側（図１５中右側面）には、前記レール溝４９Ａ内に位置する縦リブ６３が幅方向二箇所に設けられており、これら縦リブ６３間の中央部には、Ｕ字状の切欠部６４内に位置するストッパ片６５が設けられている。ここで、ストッパ片６５の下端には、後方に突出する鈎状部６５Ａが形成されており、当該鈎状部６５Ａが前記起立板４９の前面側上部に設けられた段部５４に引っ掛かることで、中間ガイド４６が上方に抜け出ることがないように保たれる。
【００２８】
前記側面部６１の各内面側には、前記起立板４９のレール部５５に対応する凹溝６７が形成されている一方、各外面側には段落ち面６１Ａが形成され、当該段落ち面６１Ａの上端側に面位置が相対的に高く設けられた段部６１Ｂが形成されている。
【００２９】
前記操作部材１５は、第１及び第２のケース部材７０、７１を相互に突き合わせるように組み立てて構成される。これら第１及び第２のケース部材７０、７１は、実質的に対称形状をなし、従って、以下においては、第１のケース部材７０について説明するものとし、第２のケース７１については同一符号を付して説明を省略する。
【００３０】
第１のケース部材７０は、図１９に示されるように、略クランク形状に近似した側壁部７３を含む。この側壁部７３は、横断面形状において皿状の輪郭（図２２参照）を形成するように設けられており、側壁部７３の最上端に頂壁部７４が設けられている。頂壁部７４には略鉛直方向に向けられた中間壁部７５を介して下段頂壁７６が連なり、当該下段頂壁７６には下方に向けられた後壁部７８が連なるように形成されている。また、第１のケース部材７０の前方下部（図２０では右方下部）は、下方に突出して第２のケース７１と共に筒状の形成する支持部８０が設けられており、当該支持部８０にパッチ保持体１６を保持するように設けられている。
【００３１】
図２２に示されるように、左右方向中央部より右側には、仕切壁部８１が形成されており、この仕切壁部８１と、前記中間壁部７５との間に前記ガイド部材１４の受容空間Ｃが形成されている。この受容空間Ｃを形成する側壁部７３の内面側において、前記中間壁部７５の延長線下方には、図２０に示されるように、ガイドリブ８３が設けられているとともに、当該ガイドリブ８３の同図中右側には、前記中間ガイド４６の側面部６１に設けられた段落ち面６１Ａに対応するリブ８５が設けられている。このリブ８５の上端側は、図２０に示されるように、仕切壁部８１側に向けられた屈曲リブ８５Ａとされ、当該屈曲リブ８５Ａに前記中間ガイド４６の段部６１Ｂが引っ掛かるようになっている。
【００３２】
前記支持部８０は、図２２に示されるように、前記仕切壁部８１と平行に設けられた補強壁８７と、当該補強壁８７の右側に設けられた一対の軸受け壁８９、９０と、これら軸受壁８９、９０間に設けられたリブ片９２と、図２０に示されるように、リブ片９２の下部側を横断するように設けられるとともに後述するパッチ保持体１６の挟持部材１０３を所定位置に保つ横リブ９３と、支持部８０の下端内周において内径寸法を僅かに小さくするフランジ部９４とを備えて構成されている。
なお、図２０中符号９５は、第２のケース部材７１との相互連結を行うためのねじ等を挿入するための連結筒を示す。
【００３３】
前記パッチ保持体１６は、図２、図２７及び図２８に示されるように、パッチＰの穴Ｐ１を貫通する軸部材１００と、前記操作部材１５に略水平面内で回転可能に支持されるとともに前記軸部材１００が貫通可能な状態で組み合わされてパッチ最後部側に位置する着脱操作手段としての回転操作体１０２と、この回転操作体１０２に連なるとともに軸部材１００の上端側を挟み込んで当該軸部材１００を保持する挟持部材１０３とにより構成されている。
【００３４】
前記軸部材１００は、図２７に示されるように、上半部１００Ａが丸軸状に設けられる一方、下半部１００Ｂが横断面において略小判形に設けられ、当該下半部１００ＢがパッチＰの保持領域として形成されている。この軸部材１００の上端部には、周方向１８０度間隔を隔てた位置に、略扇状をなす一対の凸部１０４が設けられている。この一方、軸部材１００の下端１００Ｃは円形をなし、下端面の中央部に断面形状が台形状となる凹み部１０５が設けられ、これによって、下端外縁が薄肉となるように設けられている。下端１００Ｃの直径は、パッチＰの穴Ｐ１と略同一か僅かに大きく設定されており、この寸法設定によってパッチＰの積層体が軸部材１００から不用意に抜け出ることがないようになっている。
【００３５】
前記回転操作体１０２は、図２８に示されるように、円板状部１０６を備えて構成されている。円板状部１０６の上面側にはネック部１０７を介して連なるフランジ部１０８が設けられており、当該フランジ部１０８が前記支持部８０に設けられたフランジ部９４に上方から係り合って支持されるようになっている。なお、円板状部１０６及びネック部１０７の中央部は、前記軸部材１００の貫通を許容するとともに、軸部材１００の下半部１００Ｂの相対回転を規制する略小判状の貫通穴１０６Ａが設けられている。この一方、外周部分には、爪先等を引っかけて所定の回転操作力を付与するための突起１０６Ｂが設けられている。
【００３６】
本実施形態の挟持部材１０３は、前記貫通穴１０６Ａの外側に位置する一対配置とされている。この挟持部材１０３は、片状をなし、先端（上端）間が相対的に狭くなるように屈曲して形成された爪部１０３Ａを備えて構成されている。これら爪部１０３Ａは、前記扇状の凸部１０４が上方から引っ掛かり可能となる相対間隔に設定されている。
なお、回転操作体１０２と挟持部材１０３は、ポリプロピレン等の樹脂材料による一体成形品により構成されており、挟持部材１０３は、後述するように回転操作体１０２すなわち円板状部１０６を回転操作したときに、支持部８０の内面形状との相関関係によって先端間が容易に拡大する方向に捻れ変形可能となっている。
【００３７】
次に、本実施形態におけるパッチ貼着器１０の組み立て方法を説明した後、その使用方法について、図２９及び図３０をも参照しながら説明する。
【００３８】
パッチ貼着器１０の組み立てに際しては、先ず、ベース１２にガイド部材１４を構成するガイド本体４５が組み合わされる。すなわち、ガイド本体４５の翼板部５０に設けられたスロット穴５７内に突軸３３を受容させるとともに、当該突軸３３をスロット穴５７の最後部に位置させる。そして、ガイド本体４５を前方にスライド移動させることで、突片部５１をフック部３６内に差し込んで両者を係り合わせることができる（図２９参照）。
【００３９】
次いで、台座２０の脚片２３をベース１２側の凸部２４の凹部２４Ａに嵌合させた後、押さえ部材２１の装着が行われる。押さえ部材２１は、突起４１と爪状凸部４２をベース１２に形成された固定用穴２９と凹部３０に嵌合させることによって行うことができる。
【００４０】
このようにして台座２０と押さえ部材２１との組み立てが完了した状態で、操作部材１５を組み合わせる。この操作部材１５は、第１のケース部材７０の受容空間Ｃに中間ガイド４６を受容させ、当該中間ガイド４６の段部６１Ｂを屈曲リブ８５Ａの上縁に引っ掛けておく。そして、支持部８０にパッチ保持体１６を配置する。このパッチ保持体１６には、予め軸部材１００を上半部１００Ａ側から積層状のパッチＰに挿入して当該パッチＰを下半部１００Ｂ側に位置させておき、軸部材１００の凸部１０４側を回転操作体１０２の貫通穴１０６Ａに挿入する。そして、一対の挟持部材１０３間に軸部材１００の上半部１００Ａを位置させるとともに、凸部１０４が挟持部材１０３の爪部１０３Ａを乗り越えて当該爪部１０３Ａに引っ掛けることで組み合わせることができる。
【００４１】
パッチ保持体１６は、回転操作体１０２のフランジ部１０８が支持部８０のフランジ部９４の上位に位置するようにセットされ、この後、第１のケース部材７０の内側を閉塞するように、第２のケース部材７１を合わせ、図示しないねじ等を介して両者を一体化させて操作部材１５の組み立てを完了することができる。
【００４２】
次いで、操作部材１５内に予め受容された中間ガイド４６を介して操作部材１５をガイド本体４５に支持させる。この際、中間ガイド４６の縦リブ６３をガイド本体４５の前面側に設けられたレール溝４９Ａに上方から受容させると同時に、側面部６１の各内面側に設けられた凹溝６７内にガイド本体４５側のレール部５５を受容させる。中間ガイド４６をガイド本体４５に上方から差し込むときには、中間ガイド４６のストッパ片６５に設けられた鈎状部６５Ａがガイド本体４５の起立板４９の前面側上部に設けられた段部５４を強制的に乗り越えるが、一旦乗り越えた後には、中間ガイド４６が上方に抜け出ることはなく、従って、操作部材１５が抜け出てしまうような不都合は生じない。
なお、中間ガイド４６を介してガイド本体４５に操作部材１５を組み合わせるときに、コイルばね５３を操作部材１５とベース１２側との間に配置した状態で行われ、従って、操作部材１５をガイド本体４５に組み合わせた後は、当該操作部材１５は常に上方に力が付与されて前記鈎状部６５Ａが段部５４に引っ掛かった位置を初期位置として保つようになる。
【００４３】
パッチＰの貼着を行う場合には、図１に示されるように、シートＳを押さえ部材２１下に差し込むとともに、シートＳのパンチング穴内に、パンチ穴位置決め部材２８の起立部２８Ａを位置させておく。この状態で、操作部材１５を上方から押し下げ操作することで、パッチ保持体１６が下降し、最先のパッチＰをシートＳに貼着することができる。なお、最先のパッチＰが次なるパッチＰから剥離される作用若しくは動作は、前述した特許文献１に記載された作用若しくは動作と実質的に同様である。
【００４４】
積層状のパッチＰが全て消費されたときには、新たなパッチＰの積層体を補充すればよい。この補充作業は、軸部材１００を操作部材１５に支持された回転操作体１０２から抜き出すことによって行うことができる。この抜き出しは、回転操作体１０２の突起１０６Ｂに指先を引っかけて水平面内で円板状部１０６に回転力を付与することによって行われる。円板状部１０６に回転力が付与されると、これに一体化されている挟持部材１０３も回転しようとするが、当該挟持部材１０３は、図３０に示されるように、横リブ９３によって回転規制され、これによって、挟持部材１０３が捻られるようになる。そして、この捻れによって爪部１０３Ａ側が相対する爪部１０３Ａに対して離れるように相互に間隔を拡大する。この間隔拡大により、軸部材１００の凸部１０４は、爪部１０３Ａとの係り合いが解除されることとなり、軸部材１００の自重によって当該軸部材１００が回転操作体１０２から抜け出ることとなる。
【００４５】
軸部材１００の抜き出しを行う際には、操作部材１５を傾斜姿勢としてパッチ保持体１６側とパッチ貼着部１１との間に大きな空間を形成して行うことができる。すなわち、図２９に示されるように、操作部材１５に対して後ろ向きの力を付与することで、ガイド部材１４がベース１２上で後方にスライド移動し、これによって突片部５１とフック部３６との係り合わせが解除され、ガイド部材１４は、前記軸部３３を回転中心として図２９中時計方向に回転可能となる。
【００４６】
このようにして抜き出された軸部材１００に新たなパッチＰの積層体を支持させた後に、軸部材１００を回転操作体１０２に下方から差し込めばよい。この差し込みを行うと、軸部材１００の凸部１０４が挟持部材１０３の爪部１０３Ａ間を強制的に乗り越えて当該爪部１０３Ａに係り合い、以後の抜き出しが阻止される。
【００４７】
従って、このような実施形態によれば、パッチＰの補充作業を行うにあたり、ベース１２との間の作業空間を拡大した状態で、軸部材１００の抜き出しと、回転操作体１０２への挿入操作とを容易且つ迅速に行うことができる、という効果を得る。
【００４８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００４９】
例えば、前記実施形態では、着脱操作手段としての回転操作体１０２は図示構成例に
限定されるものではなく、軸部材１００を操作部材１５から自重等によって抜き出すことのできる構成であれば足りる。具体的には、軸部材１００を貫通させる部材の内径寸法が所定操作で拡大、縮小できるような部材を用い、当該部材を操作部材１５側に支持させる構成等が例示できる。
【００５０】
また、本発明に係るパッチ貼着器１０の各構成部材の相対位置等は、図示構成例に限定されるものではなく、前述したように、パッチＰの積層体を保持する軸部材１００の着脱可能な構造が採用される限り、種々変更可能である。
【図面の簡単な説明】
【００５１】
【図１】本実施形態に係るパッチ貼着器の概略正面図。
【図２】前記パッチ貼着器の縦断面図。
【図３】（Ａ）は台座の平面図、（Ｂ）は（Ａ）の右側面図、（Ｃ）は台座の正面図。
【図４】ベースの平面図。
【図５】ベースの正面図。
【図６】図４のＡ−Ａ線矢視断面図。
【図７】図４のＢ−Ｂ線矢視断面図。
【図８】押さえ部材の平面図。
【図９】押さえ部材の正面図。
【図１０】ガイド本体の正面図。
【図１１】図１０の左側面図。
【図１２】図１１のＤ−Ｄ線矢視断面図。
【図１３】図１０のＣ−Ｃ線矢視断面図。
【図１４】中間ガイドの左側面図。
【図１５】図１４のＥ−Ｅ線矢視断面図。
【図１６】中間ガイドの正面図。
【図１７】中間ガイドの右側面図。
【図１８】図１７のＦ−Ｆ線矢視断面図。
【図１９】操作部材を構成する第１のケース部材の正面図。
【図２０】前記第１のケース部材の背面図。
【図２１】図２０のＧ−Ｇ線矢視断面図。
【図２２】図２０のＨ−Ｈ線矢視断面図。
【図２３】操作部材を構成する第２のケース部材の正面図。
【図２４】前記第２のケース部材の背面図。
【図２５】図２４のＩ−Ｉ線矢視断面図。
【図２６】図２４のＪ−Ｊ線矢視断面図。
【図２７】（Ａ）は軸部材の正面図、（Ｂ）はＫ−Ｋ線矢視断面図、（Ｃ）はＬ−Ｌ線矢視断面図、（Ｄ）はＭ−Ｍ線矢視断面図。
【図２８】（Ａ）は回転操作部材の正面図、（Ｂ）はその平面図、（Ｃ）はＮ−Ｎ線矢視断面図。
【図２９】ガイド部材を介して操作部材が回転させる作用を説明するための一部破断正面図。
【図３０】軸部材が挟持部材により挟持されている状態を示す上方から見た要部概略平面図。
【符号の説明】
【００５２】
１０  パッチ貼着器
１１  パッチ貼着部
１２  ベース
１４  ガイド部材
１５  操作部材
１６  パッチ保持体
９３  横リブ
１００  軸部材
１０３  挟持部材
１０３Ａ  爪部
１０４  凸部
１０２  回転操作体（着脱操作手段）
Ｐ  パッチ
Ｓ  シート（被着体）
【図１】
2010094940.tif 000003
【図２】
2010094940.tif 000004
【図３】
2010094940.tif 000005
【図４】
2010094940.tif 000006
【図５】
2010094940.tif 000007
【図６】
2010094940.tif 000008
【図７】
2010094940.tif 000009
【図８】
2010094940.tif 000010
【図９】
2010094940.tif 000011
【図１０】
2010094940.tif 000012
【図１１】
2010094940.tif 000013
【図１２】
2010094940.tif 000014
【図１３】
2010094940.tif 000015
【図１４】
2010094940.tif 000016
【図１５】
2010094940.tif 000017
【図１６】
2010094940.tif 000018
【図１７】
2010094940.tif 000019
【図１８】
2010094940.tif 000020
【図１９】
2010094940.tif 000021
【図２０】
2010094940.tif 000022
【図２１】
2010094940.tif 000023
【図２２】
2010094940.tif 000024
【図２３】
2010094940.tif 000025
【図２４】
2010094940.tif 000026
【図２５】
2010094940.tif 000027
【図２６】
2010094940.tif 000028
【図２７】
2010094940.tif 000029
【図２８】
2010094940.tif 000030
【図２９】
2010094940.tif 000031
【図３０】
2010094940.tif 000032